(57)【特許請求の範囲】
【請求項１】
それぞれが共通接続部に接続され、通過帯域の異なる第１の送信用フィルタ回路と第２の送信用フィルタ回路を有する送信用フィルタと、
アンテナ端子に接続される前記共通接続部に接続された受信用フィルタと、
整合用回路により構成されるＳＡＷ分波器であって、
前記第１あるいは第２の送信用フィルタ回路のうち通過帯域の周波数が低い方は、前記共通接続部との間に設けられた前記整合用回路としての（λ／２）長線路の整合用回路を介して前記共通接続部に接続され、前記（λ／２）長線路の整合用回路が接続されない方の送信用フィルタ回路は（λ／４）長線路の整合用回路を介して前記共通接続部に接続され、前記アンテナ端子と前記共通接続部との間には周波数特性改善素子が接続されていることを特徴とする送信帯域分割型分波器。
【請求項２】
それぞれが共通接続部に接続され、通過帯域の異なる第１の送信用フィルタ回路と第２の送信用フィルタ回路を有する送信用フィルタと、
アンテナ端子に接続される前記共通接続部に接続された受信用フィルタと、
整合用回路により構成されるＳＡＷ分波器であって、
前記第１あるいは第２の送信用フィルタ回路のうち通過帯域の周波数が低い方は、前記共通接続部との間に設けられた前記整合用回路としての（λ／２）長線路の整合用回路を介して前記共通接続部に接続され、前記（λ／２）長線路の整合用回路が接続されない方の送信用フィルタ回路は入力直列腕共振器を有するものであり、前記共通接続部に直接接続されていることを特徴とする送信帯域分割型分波器。
【発明の詳細な説明】
【０００１】
【発明の属する技術分野】
本発明は、携帯電話等の小型移動体通信機器に用いられる無線周波数〔Ｒａｄｉｏ  Ｆｒｅｑｕｅｎｃｙ（ＲＦ）〕フィルタに使用される弾性表面波共振器型ＳＡＷフィルタを用いた分波器の構成に関するものである。
【０００２】
【従来の技術】
近年、小型で軽量な携帯電話等の移動体通信機器端末の開発が急速に進められている。これに伴い、用いられる部品の小型、高性能化が求められており、ＳＡＷ素子の開発が進められている。
【０００３】
また、携帯電話等の移動体通信機器の多様化、多チャンネル化に伴い、送信帯域と受信帯域の間隔の近接化、各通過帯域の広帯域化方式の採用が進んでおり、これに対応するＳＡＷ分波器の開発がなされている。
【０００４】
図８は従来の分波器の構成図である。
【０００５】
ＳＡＷ分波器はＲＦ部の形状及び性能が携帯電話等の小型化、高性能化に大きく貢献できるデバイスであるため、その実用化が強く要望されている。
【０００６】
図８に示すように、このＳＡＷ分波器１０は、アンテナ端１、送信（Ｔｘ）端２、受信（Ｒｘ）端３、弾性表面波共振器を用いた送信用フィルタ４、受信用フィルタ７を有し、その送信用フィルタ４は整合用線路（整合用回路）５と送信用フィルタ回路６を備え、受信用フィルタ７は整合用線路（整合用回路）８と受信用フィルタ回路９で構成され、小型で、通過帯域の挿入損失が小さい事、減衰帯域の減衰が大きい事等の特性が要求されている。
【０００７】
従来、通過帯域の広い、しかも送信帯域と受信帯域の狭い分波器は誘電体共振器を用いて構成されている。この誘電体共振器を用いた分波器の場合、形状の小型化に限界がある事が知られている。
【０００８】
【発明が解決しようとする課題】
周波数が配置されたＣＤＭＡ方式においては、例えば送信用フィルタの通過帯域が８８７〜９２５ＭＨｚ、受信用フィルタの通過帯域が８３２〜８７０ＭＨｚで、送信帯域と受信帯域の間隔が１７ＭＨｚである。このＣＤＭＡ用分波器のＳＡＷフィルタでの実現は、通過帯域幅が３８ＭＨｚ、かつ、送信帯域と受信帯域の間隔が１７ＭＨｚと狭いため、図８に示した従来の分波器の構成では、送信用フィルタの通過帯域が広く、且つ受信用フィルタの通過帯域との間隔が狭いため、送信用フィルタの特性が急峻なものが必要となる。この場合、低挿入損失の実現が困難となる。つまり、ＣＤＭＡ方式の場合は送信用フィルタの通過帯域が８８７〜９２５ＭＨｚ、受信用フィルタの通過帯域が８３２〜８７０ＭＨｚのため、送信用フィルタと受信用フィルタの間隔が１７ＭＨｚしかない。従って、送信用フィルタの傾斜を急峻にすると、用いるＳＡＷ共振器の特性のため、送信用フィルタの通過帯域内の端部の損失が増加する。
【０００９】
本発明は、上記状況に鑑みて、送信用フィルタを帯域分割し、分割した二つの送信用フィルタ回路と、分割しない受信用フィルタで構成され、小型化、高性能化された送信帯域分割型分波器を提供することを目的とする。
【００１０】
【課題を解決するための手段】
本発明は、上記目的を達成するために、
〔１〕送信帯域分割型分波器において、通過帯域の異なる第１の送信用フィルタ回路と第２の送信用フィルタ回路を有する送信用フィルタと、受信用フィルタと、周波数特性改善用素子と、整合用回路により構成されるＳＡＷ分波器であって、前記第１あるいは第２の送信用フィルタ回路のいずれか一方に（λ／２）長線路の整合用回路を接続するようにしたものである。
【００１１】
〔２〕上記〔１〕記載の送信帯域分割型分波器において、前記（λ／２）長線路の整合用回路は、前記２つの送信用フィルタ回路のうち通過帯域の周波数が低い方に接続されるようにしたものである。
【００１２】
〔３〕上記〔１〕記載の送信帯域分割型分波器において、前記（λ／２）長線路の整合用回路が接続されない方の送信用フィルタ回路には（λ／４）長線路の整合用回路が接続されるようにしたものである。
【００１３】
〔４〕上記〔１〕記載の送信帯域分割型分波器において、前記（λ／２）長線路の整合用回路が接続されない方の送信用フィルタ回路にはアンテナが接続されるようにしたものである。
【００１４】
〔５〕送信用フィルタの通過帯域を分割し、二つの送信用フィルタ回路と受信用フィルタと、周波数特性改善用素子及び整合用回路により構成されるＳＡＷ分波器であって、前記二つの送信用フィルタ回路に接続される各整合用回路としてキャパシタ及び前記周波数特性改善用素子としてインダクタを用いるようにしたものである。
【００１５】
〔６〕送信用フィルタの通過帯域を分割し、二つの送信用フィルタ回路と、受信用フィルタと、周波数特性改善用素子及び整合用回路により構成されるＳＡＷ分波器であって、前記二つの送信用フィルタ回路に接続される整合用回路の一つにキャパシタ及び周波数特性改善用素子としてインダクタを用いるようにしたものである。
【００１６】
〔７〕上記〔５〕又は〔６〕記載の送信帯域分割型分波器において、前記整合用回路のキャパシタとして直列腕ＳＡＷ共振器の容量を用いるようにしたものである。
【００１７】
〔８〕上記〔５〕又は〔６〕記載の送信帯域分割型分波器において、前記周波数特性改善用素子としてインダクタに直列または並列にキャパシタを用いるようにしたものである。
【００１８】
〔９〕送信用フィルタの通過帯域を分割し、二つの送信用フィルタ回路と受信用フィルタと、周波数特性改善用素子及び整合用回路により構成されるＳＡＷ分波器であって、それぞれ異なった通過帯域を有する二つの送信用フィルタ回路のそれぞれに整合回路を設け、一方の整合回路は他方の整合回路の線路長より短いものとするようにしたものである。
【００１９】
〔１０〕上記〔９〕記載の送信帯域分割型分波器において、前記他方の整合回路は（λ／４）長線路を有するようにしたものである。
【００２０】
〔１１〕上記〔９〕記載の送信帯域分割型分波器において、前記一方の整合回路はアンテナ端子に接続され、前記他方の整合回路は受信用フィルタ回路に対して設けられた整合回路に接続されるようにしたものである。
【００２１】
【発明の実施の形態】
以下、本発明の実施の形態について図面を参照しながら詳細に説明する。
【００２２】
図１は本発明の第１実施例を示す送信帯域分割型分波器の構成図である。
【００２３】
この図において、１０１はＡＮＴ端、１０２は第１のＴｘ端、１０３は第２のＴｘ端、１０４はＲｘ端、１０５は送信用フィルタ、１０６は第１の送信用フィルタ回路１０７に直列に接続される第１の整合用回路（整合用線路）、１０８は第２の送信用フィルタ回路１０９に直列に接続される第２の整合用回路（整合用線路）、１１０は受信用フィルタであり、この受信用フィルタ１１０は、第３の整合用回路（整合用線路）１１１、受信用フィルタ回路１１２からなる。また、周波数特性改善用素子としては、ＡＮＴ端１０１に直列に接続されるインピーダンスＺA １１３、ＡＮＴ端１０１に直列に接続されるインピーダンスＺANT １１４である。
【００２４】
この実施例では、送信用フィルタ１０５においては、帯域幅をそのまま実現せず、ＣＤＭＡ方式における実際の第１の送信帯域９１５〜９２５ＭＨｚと、第２の送信帯域８８７〜９０１ＭＨｚとを通過帯域とする二個の送信用フィルタ回路、つまり、第１の送信用フィルタ回路１０７（９１５〜９２５ＭＨｚ）と、第２の送信用フィルタ回路１０９（８８７〜９０１ＭＨｚ）で構成する。
【００２５】
この実施例によれば、上記したように、送信帯域を分割することにより、高性能分波器が得られる。また、各フィルタの帯域幅が狭くなるため、構成段数が少なくなる。具体的に示すと、ＣＤＭＡ方式の場合は、送信用フィルタの通過帯域は８８７〜９２５ＭＨｚであるが、実際に必要な帯域は８８７〜９０１ＭＨｚ及び９１５〜９２５ＭＨｚである。したがって、送信用フィルタを設計する場合８８７〜９２５ＭＨｚという一つのフィルタにするか、あるいは８８７〜９０１ＭＨｚと９１５〜９２５ＭＨｚの二つのフィルタにするかのどちらかである。ここで、８８７〜９２５ＭＨｚという一つのフィルタにする場合は、６段または７段構成が必要となるが、８８７〜９０１ＭＨｚと９１５〜９２５ＭＨｚの二つのフィルタにする場合は４段または５段構成で済むことになる。
【００２６】
したがって、挿入損失を減少させることができる。
【００２７】
一方、分波器が三個のフィルタによる構成となるため、整合用回路が複雑になり、挿入損失が増加するが、分波器としては、高性能化特性が得られる。
【００２８】
この分波器の原理を図２を参照しながら説明する。
【００２９】
まず、ＡＮＴ端１０１において、分波器として次の条件が成立する必要がある。
【００３０】
１／ＺANT＝１／Ｚｉｎ〔Ｔｘ（１）〕+１／Ｚｉｎ〔Ｔｘ（２）〕+１／Ｚｉｎ〔Ｒｘ〕                                              ・・・（１）
ＺANT≒５０．０                                      ・・・（２）
なお、入出力インピーダンスを５０Ωに設計しているのは、無線機器が５０Ωで作られていることによる。
ここで、
Ｚｉｎ〔Ｔｘ（１）〕＝９１５〜９２５ＭＨｚを通過帯域とする送信用フィルタの入力インピーダンス、
Ｚｉｎ〔Ｔｘ（２）〕＝８８７〜９０１ＭＨｚを通過帯域とする送信用フィルタの入力インピーダンス、
Ｚｉｎ（Ｒｘ）＝受信用フィルタの入力インピーダンス
である。
【００３１】
一般に、梯子型ＳＡＷフィルタは通過帯域の低域側減衰域においては入力インピーダンスが純虚数に近い値になり、０に近い値になる場合もある。
【００３２】
したがって、ＣＤＭＡ方式の場合、送信用フィルタのインピーダンスによる受信用フィルタの通過帯域の特性が最も影響を受ける。即ち、
Ｚｉｎ〔Ｔｘ（１）〕≒ｊＺｉｎ〔Ｔｘ（１）〕、
Ｚｉｎ〔Ｔｘ（２）〕≒ｊＺｉｎ〔Ｔｘ（２）〕      ・・・（３）
となるが、図１に示した第１の整合用回路１０６、第２の整合用回路１０８、第３の整合用回路１１１として、第１の送信用フィルタ回路１０７に直列に接続する第１の整合用回路１０６に（λ／４）長線路、第２の送信用フィルタ回路１０９に直列に接続する第２の整合用回路１０８に（λ／２）長線路を採用する事により Ｚｉｎ〔Ｔｘ（１）〕≒∞、Ｚｉｎ〔Ｔｘ（２）〕≒∞・・・・（４）
となり、上記式（４）の条件が満足され、高性能分波器が得られる。
【００３３】
第２の整合用回路１０８に（λ／２）長線路を採用したのは、第１の送信用フィルタ回路１０７の通過帯域の特性を維持するためである。
【００３４】
また、周波数特性改善用素子ＺA １１３、ＺANT １１４は主にＶＳＷＲ（Ｖｏｌｔａｇｅ  Ｓａｎｄｉｎｇ  Ｗａｖｅ  Ｒａｔｉｏ）の調整に必要な素子である。同じ、ＶＳＷＲの調整のため、第１のＴｘ端１０２、第２のＴｘ端１０３、Ｒｘ端１０４にも必要な場合があるがここでは示していない。しかし、図１に示す整合用回路として、第１の送信用フィルタ回路１０７に直列に接続する第１の整合用回路１０６に（λ／４）長線路を採用するとともに、第２の整合用回路１０８に（λ／２）長線路を採用することにより、上記式（４）の条件を満足することは可能であるが、（λ／４）長線路及び（λ／２）長線路による形状の増大は避けられない。
【００３５】
このように第１実施例によれば、第１の整合用回路に（λ／４）長線路、第２の整合用回路に（λ／２）長線路を用いることにより、前記欠点を可能な限り除去することができ、キャパシタおよびインダクタを用いてキャパシタおよびインダクタのＱが（λ／４）長線路のＱより高くなるため、高性能送信帯域分割型分波器を得ることができる。
【００３６】
また、図１の本発明の分波器の構成において、第１の送信用フィルタ回路１０７、第２の送信用フィルタ回路１０９および受信用フィルタ回路１１２は、各フィルタのＡＮＴ端側に、直列腕共振器回路を構成する。
【００３７】
なお、受信用フィルタに関して帯域分割する必要がないのは、以下の理由による。ＣＤＭＡ方式の場合、送信用フィルタの挿入損失の規格は３．０ｄＢ以下で、受信用フィルタの挿入損失の規格は４．２ｄＢ以下である。つまり、受信用フィルタの挿入損失の規格が大きいために帯域分割しなくてもフィルタ特性を実現することができる。これに対して、送信用フィルタは必要な挿入損失が小さいため、帯域を分割する必要がある。
【００３８】
次に、本発明の第２実施例について説明する。
【００３９】
図３は本発明の第２実施例を示す送信帯域分割型分波器の構成図である。
【００４０】
この実施例は、第１の送信用フィルタ回路１０７と第２の送信用フィルタ回路１０９の受信用フィルタ回路１１２への影響を除去するため、第１の送信用フィルタ回路１０７と第２の送信用フィルタ回路１０９に接続する二つの整合用回路、つまり、第１の整合用回路１０６、第２の整合用回路１０８に（λ／４）長線路を用いて、送信帯域分割型分波器の形状の増加および特性の劣化を少なくしたものである。
【００４１】
図３に示すように、第１の整合用回路１０６および第２の整合用回路１０８として第１のキャパシタＣT1３０１、第２のキャパシタＣT2３０２を用い、また、周波数特性改善用インピーダンスＺANT １１４としてインダクタＬANT ３０３を用いて構成した。
【００４２】
図３において、ｆ＝８４７（ＭＨｚ）において、上記式（１）の関係式が下記式（５）のようになる。
【００４３】
１／ＺANT ＝１／〔（１／ＳＣT1）−ｊ１．７３〕＋１／〔（１／ＳＣT2）−ｊ０．９２１）＋１／（２．２７−ｊ１．２８）＋１／（ｊωＬANT ）…（５）
ここで、Ｓ＝ｊ＊ω＝ｊ＊２＊πｆである。今、ＣT1＝ＣT2＝７（ｐｆ）として、受信用フィルタのｆ＝８４７（ＭＨｚ）において、インピーダンスの虚数部を０になるようにＬANT の値を決める。即ち、
１／ＺANT ＝１．０（Ω）とするとＬANT はＬANT ＝６．７３（ｎＨ）となる。
【００４４】
この場合、整合用回路として、（λ／４）長線路が必要ないため、形状の小型化とインダクタのＱによる特性改善になる。このＣT1＝ＣT2＝７（ｐＦ）の実現手法として、チップ容量、パッケージ内で構成する場合と共にＳＡＷ共振器の容量により構成することも可能である。
【００４５】
また、インダクタＬANT ＝６．７３（ｎＨ）はチップインダクタ、パッケージ内のストリップライン等で構成可能である。
【００４６】
次に、本発明の第３実施例について説明する。
【００４７】
図４は本発明の第３実施例を示す送信帯域分割型分波器の構成図である。
【００４８】
図４において、４０１はＡＮＴ端、４０２は第１のＴｘ端、４０３は第２のＴｘ端、４０４はＲｘ端、４０５は送信用フィルタ、４０６は第１の送信用フィルタ回路４０７に直列に接続される整合用回路（整合用線路）としてのキャパシタＣT1、４０８は第２の送信用フィルタ回路、４０９は受信用フィルタであり、受信用フィルタ回路４１０からなる。また、周波数特性改善用素子は、ＡＮＴ端４０１に接続されるキャパシタＣANT ４１１とインダクタＬANT ４１２である。
【００４９】
このように、送信帯域分割型分波器の整合用回路として、キャパシタＣT1４０６、キャパシタＣANT ４１１及びインダクタＬANT ４１２を用いる。
【００５０】
図４において、ｆ＝８４７（ＭＨｚ）において、上記式（１）の関係式が次式（６）のようになる。
【００５１】
１／ＺANT ＝１／〔（１／ＳＣT1）−ｊ１．７３〕＋１／（−ｊ０．９２１）＋１／（２．２７−ｊ１．２８）＋１／〔１／（ＳＣANT ）＋ｊωＬANT 〕…（６）
ここで、ＣT1＝７（ｐＦ）、ＣANT ＝２０（ｐＦ）として、受信用フィルタのｆ＝８４７（ＭＨｚ）において、インピーダンスの虚数部を０になるように、ＬANT の値を決める。即ち、
１／ＺANT ＝１．０（Ω）とすると、ＬANT ＝７．７（ｎＨ）となる。
【００５２】
第３実施例のキャパシタＣT1、ＣANT およびインダクタＬANT も実現手法は第１実施例の場合と同様に可能である。
【００５３】
次に、本発明の第４実施例について説明する。
【００５４】
図５は本発明の第４実施例を示す送信帯域分割型分波器の構成図である。
【００５５】
図５において、５０１はＡＮＴ端、５０２は第１のＴｘ端、５０３は第２のＴｘ端、５０４はＲｘ端、５０５は送信用フィルタ、５０６は第１の送信用フィルタ回路、５０７は第２の送信用フィルタ回路５０８に直列に接続される整合用回路（λ／２長線路）、５０９は受信用フィルタ、５１０は受信用フィルタ回路である。
【００５６】
このように、第４実施例によれば、第２の送信用フィルタ回路５０８に直列に接続される整合用回路５０７として、（λ／２）長線路を用いて、送信帯域分割型分波器を構成した。また、この第４実施例では、第１の送信用フィルタ回路５０６に直列に接続される整合用回路は用いていないが、第１の送信用フィルタ回路５０６の入力直列腕共振器の等価容量が、第２実施例と第３実施例に示したＣT1になっている。また、第２の送信用フィルタ回路５０８と接続する整合用回路５０７としては（λ／２）長線路を用い、第２の送信用フィルタ回路５０８の下部減衰域を通過域とする受信用フィルタ回路５１０および第２の送信用フィルタ回路５０８の上部減衰域を通過域とする第１の送信用フィルタ回路５０６の通過域特性改善するようにしたものである。
【００５７】
次に、本発明の第５実施例について説明する。
【００５８】
図６は本発明の第５実施例を示す送信帯域分割型分波器の構成図である。
【００５９】
図６において、６０１はＡＮＴ端、６０２は第１のＴｘ端、６０３は第２のＴｘ端、６０４はＲｘ端、６０５は送信用フィルタ、６０６は第１の送信用フィルタ回路６０７に直列に接続される整合用回路としての微小長線路、６０８は第２の送信用フィルタ回路６０９に直列に接続される整合用回路としての（λ／４）長線路、６１０は受信用フィルタ、６１１は受信用フィルタ回路６１２に直列に接続される整合用回路としての（λ／４）長線路であり、この（λ／４）長線路６１１は（λ／４）長線路６０８にも直列に接続されている。
【００６０】
このように、この実施例では、微少長線路６０６、（λ／４）長線路６０８、及び（λ／４）長線路６１１を用いて、送信帯域分割型分波器を構成している。
【００６１】
つまり、この第５実施例は、キャパシタおよびインダクタ等の集中定数素子を用いないことを特徴としている。整合用回路として、線路はパッケージの層間において容易に構成可能である利点がある。この場合、樹脂基板（比誘電率≒４．８）を用いた各線路長は、次のようになっている。
【００６２】
例えば、微少長線路６０６≒１０（ｍｍ）、（λ／４）長線路６０８≒４５（ｍｍ）、（λ／４）長線路６１１≒４０（ｍｍ）である。
【００６３】
この第５実施例の特性の特徴は、インダクタを用いないため、受信用フィルタが減衰域において高減衰が得られることである。
【００６４】
この第５実施例の送信帯域分割型分波器の特性を表１に、第２乃至第４実施例の特性と比較して示すように、各実施例と略同等の規格を満足する特性が得られる。また、表２に第２乃至第４実施例における各整合用回路及びＺANT の値を示す。
【００６５】
【表１】
0003673112.tif 000002
【００６６】
【表２】
0003673112.tif 000003
【００６７】
図７は上記した第１乃至第５実施例における各フィルタ回路の共振器の構成を示す図であり、図７（ａ）は第１の送信用フィルタ回路の共振器の構成図、図７（ｂ）は第２の送信用フィルタ回路の共振器の構成図、図７（ｃ）は受信用フィルタ回路の共振器の構成図である。
【００６８】
つまり、図７（ａ）に示すように、第１の送信用フィルタ回路の共振器としては、第１の直列共振腕ＳＴ１１、第１の並列共振腕ＰＴ１１、第２の直列共振腕ＳＴ１２、第２の並列共振腕ＰＴ１２、第３の直列共振腕ＳＴ１３、第３の並列共振腕ＰＴ１３を備えている。
【００６９】
図７（ｂ）に示すように、第２の送信用フィルタ回路の共振器としては、第１の直列共振腕ＳＴ２１、第１の並列共振腕ＰＴ２１、第２の直列共振腕ＳＴ２２、第２の並列共振腕ＰＴ２２、第３の直列共振腕ＳＴ２３、第３の並列共振腕ＰＴ２３を備え、また、図７（ｃ）に示すように、受信用フィルタ回路の共振器としては、第１の直列共振腕ＳＲ１１、第１の並列共振腕ＰＲ１１、第２の直列共振腕ＳＲ１２、第２の並列共振腕ＰＲ１２、第３の直列共振腕ＳＲ１３、第３の並列共振腕ＰＲ１３、第４の直列共振腕ＳＲ１４、第４の並列共振腕ＰＲ１４を備えている。
【００７０】
表３に上記した第１の送信用フィルタ回路の共振器の構成を、表４に上記した第２の送信用フィルタ回路の共振器の構成を、表５に上記した受信用フィルタ回路の共振器の構成をそれぞれ示す。
【００７１】
【表３】
0003673112.tif 000004
【００７２】
【表４】
0003673112.tif 000005
【００７３】
【表５】
0003673112.tif 000006
【００７４】
表６に第２実施例の各共振器の構成を示す。
【００７５】
【表６】
0003673112.tif 000007
【００７６】
なお、本発明は上記実施例に限定されるものではなく、本発明の趣旨に基づいて種々の変形が可能であり、これらを本発明の範囲から排除するものではない。
【００７７】
【発明の効果】
以上、詳細に説明したように、本発明によれば、以下のような効果を奏することができる。
【００７８】
送信用フィルタの通過帯域を分割し、二つの送信用フィルタ回路及び受信用フィルタにより分波器を構成し、構成の簡単な送信用フィルタを用いることにより、小型化された高性能化ＳＡＷ分波器を得ることができる。
【００７９】
詳細に述べると、ＣＤＭＡ方式の場合は、例えば送信用フィルタの通過帯域は８８７〜９２５ＭＨｚであるが、実際に必要な帯域は８８７〜９０１ＭＨｚ及び９１５〜９２５ＭＨｚである。したがって、送信用フィルタを設計する場合、８８７〜９２５ＭＨｚという一つのフィルタにするか、あるいは８８７〜９０１ＭＨｚと９１５〜９２５ＭＨｚの二つのフィルタにするかのどちらかになる。ここで、８８７〜９２５ＭＨｚという一つのフィルタにする場合は、６段または７段構成が必要となるが、８８７〜９０１ＭＨｚと９１５〜９２５ＭＨｚの二つのフィルタにする場合は４段または５段構成で済むという利点がある。
【図面の簡単な説明】
【図１】本発明の第１実施例を示す送信帯域分割型分波器の構成図である。
【図２】本発明の第１実施例を示す送信帯域分割型分波器の原理図である。
【図３】本発明の第２実施例を示す送信帯域分割型分波器の構成図である。
【図４】本発明の第３実施例を示す送信帯域分割型分波器の構成図である。
【図５】本発明の第４実施例を示す送信帯域分割型分波器の構成図である。
【図６】本発明の第５実施例を示す送信帯域分割型分波器の構成図である。
【図７】第１乃至第５実施例における各フィルタ回路の共振器の構成を示す図である。
【図８】従来の分波器の構成図である。
【符号の説明】
１０１，４０１，５０１，６０１    ＡＮＴ端
１０２，４０２，５０２，６０２    第１のＴｘ端
１０３，４０３，５０３，６０３    第２のＴｘ端
１０４，４０４，５０４，６０４    Ｒｘ端
１０５，４０５，５０５，６０５    送信用フィルタ
１０６    第１の整合用回路（整合用線路）
１０７，４０７，５０６，６０７    第１の送信用フィルタ回路
１０８    第２の整合用回路（整合用線路）
１０９，４０８，５０８，６０９    第２の送信用フィルタ回路
１１０，４０９，５０９，６１０    受信用フィルタ
１１１    第３の整合用回路（整合用線路）
１１２，４１０，５１０，６１２    受信用フィルタ回路
１１３    インピーダンスＺA 
１１４    インピーダンスＺANT 
３０１    第１のキャパシタＣT1
３０２    第２のキャパシタＣT2
３０３    インダクタＬANT 
４０６    キャパシタＣT1〔整合用回路（整合用線路）〕
４１１    キャパシタＣANT 
４１２    インダクタＬANT 
５０７    整合用回路（λ／２長線路）
６０６    整合用回路（微小長線路）
６０８，６１１    整合用回路（λ／４長線路）
【図１】
0003673112.tif 000008
【図２】
0003673112.tif 000009
【図３】
0003673112.tif 000010
【図４】
0003673112.tif 000011
【図５】
0003673112.tif 000012
【図６】
0003673112.tif 000013
【図７】
0003673112.tif 000014
【図８】
0003673112.tif 000015